【手続補正書】
【提出日】平成19年4月23日(2007.4.23)
【手続補正１】
【補正対象書類名】明細書
【補正対象項目名】発明の名称
【補正方法】変更
【補正の内容】
【発明の名称】画像データ補間方法、画像データ補間装置および画素補間プログラムを記録した媒体
【手続補正２】
【補正対象書類名】明細書
【補正対象項目名】特許請求の範囲
【補正方法】変更
【補正の内容】
【特許請求の範囲】      
【請求項１】  
多階調の画像データに含まれるエッジとその連続する方向を検出するエッジ方向検出工程と、
検出されたエッジ画素でエッジが連続するエッジ画素に対し、該エッジ画素をエッジ方向に沿って平滑化するエッジ平滑化工程と、
エッジ平滑後にシャープさを増す補間処理を行う画素補間工程とを具備することを特徴とする画像データ補間方法。
【請求項２】
上記請求項１に記載の画像データ補間方法において、上記エッジ方向検出工程では、注目画素を走査しながら予めエッジか否かの判定を行うエッジ画素検出工程を実行し、エッジ画素と検出された画素についてエッジの連続する方向を検出することを特徴とする画像データ補間方法。
【請求項３】
上記請求項１または請求項２のいずれかに記載の画像データ補間方法において、上記エッジ平滑化工程では、注目画素を走査しながら同注目画素に対してエッジの連続する方向に隣接する画素同士で相互に所定割合で合成することを特徴とする画像データ補間方法。
【請求項４】
多階調の画像データに含まれるエッジとその連続する方向を検出するエッジ方向検出手段と、
検出されたエッジ画素でエッジが連続するエッジ画素に対し、該エッジ画素をエッジ方向に沿って平滑化するエッジ平滑化手段と、
エッジ平滑後にシャープさを増す補間処理を行う画素補間手段とを具備することを特徴とする画像データ補間装置。
【請求項５】
上記請求項４に記載の画像データ補間装置において、上記エッジ方向検出手段は、注目画素を走査しながら予めエッジか否かの判定を行うエッジ画素検出手段を備え、このエッジ画素検出手段にてエッジ画素と検出された画素についてエッジの連続する方向を検出することを特徴とする画像データ補間装置。
【請求項６】
上記請求項４または請求項５のいずれかに記載の画像データ補間装置において、上記エッジ平滑化手段は、注目画素を走査しながら同注目画素に対してエッジの連続する方向に隣接する画素同士で相互に所定割合で合成することを特徴とする画像データ補間装置。
【請求項７】
多階調の画像データに対して画素補間する機能を実現させる画像データ補間プログラムを記録した媒体であって、
上記画像データに含まれるエッジとその連続する方向を検出するエッジ方向検出機能と、
検出されたエッジ画素でエッジが連続するエッジ画素に対し、該エッジ画素をエッジ方向に沿って平滑化するエッジ平滑化機能と、
エッジ平滑後にシャープさを増す補間処理を行う画素補間機能とを実行することを特徴とする画像データ補間プログラムを記録した媒体。
【請求項８】
上記請求項７に記載の画像データ補間プログラムを記録した媒体において、上記エッジ方向検出機能では、注目画素を走査しながら予めエッジか否かの判定を行うエッジ画素検出機能を実行し、エッジ画素と検出された画素についてエッジの連続する方向を検出することを特徴とする画像データ補間プログラムを記録した媒体。
【請求項９】
上記請求項７または請求項８のいずれかに記載の画像データ補間プログラムを記録した媒体において、上記エッジ平滑化機能では、注目画素を走査しながら同注目画素に対してエッジの連続する方向に隣接する画素同士で相互に所定割合で合成することを特徴とする画像データ補間プログラムを記録した媒体。
【手続補正３】
【補正対象書類名】明細書
【補正対象項目名】０００１
【補正方法】変更
【補正の内容】
【０００１】
【発明の属する技術分野】
本発明は、画像データ補間方法、画像データ補間装置および画素補間プログラムを記録した媒体に関する。
【手続補正４】
【補正対象書類名】明細書
【補正対象項目名】０００５
【補正方法】変更
【補正の内容】
【０００５】
本発明は、上記課題にかんがみてなされたもので、画像データに存在するエッジ方向の検出を容易にするとともに元の画像にジャギーな部分が生じていたとしても補間結果にはなるべくジャギーが生じなくすることが可能な画像データ補間方法、画像データ補間装置および画素補間プログラムを記録した媒体の提供を目的とする。
【手続補正５】
【補正対象書類名】明細書
【補正対象項目名】０００６
【補正方法】変更
【補正の内容】
【０００６】
【課題を解決するための手段】
上記目的を達成するため、本発明の一態様においては、画像をドットマトリクス状の画素で多階調表現した画像データを取得する画像データ取得工程と、上記画像データにおける構成画素数を増やす補間処理を行うにあたり画像に含まれるエッジとその方向を検出するエッジ方向検出工程と、検出されたエッジ部分でエッジ方向に沿って平滑化するエッジ平滑化工程と、エッジ平滑後に上記補間処理を行う画素補間工程と、補間処理後の画像データを出力する画像データ出力工程とを具備する構成としてある。
【手続補正６】
【補正対象書類名】明細書
【補正対象項目名】０００７
【補正方法】変更
【補正の内容】
【０００７】
画像データの中に存在するエッジの方向を判定するとしても、エッジ画素の数はそれほど多くないのが普通である。
このため、上記態様においては、予めエッジ画素検出工程にて注目画素を走査しながらエッジか否かの判定を行い、エッジ画素と検出された画素についてエッジ方向検出工程にてエッジの連続する方向を検出する。
すなわち、予めエッジか否かを先に判定するようにし、エッジでない場合には負担の大きいエッジ方向の検出処理をできるだけ行わないようにする。この場合のエッジ画素の判定は各種のフィルタを利用して実現することが可能であり、例えば、注目画素とその周囲の隣接画素とを所定の重み付けをつけて比較するような処理を行えばよい。
【手続補正７】
【補正対象書類名】明細書
【補正対象項目名】０００８
【補正方法】変更
【補正の内容】
【０００８】
このようにエッジ方向を検出するのは各種の画像処理などで利用可能であるが、その好適な一例として画像データを補間する際にジャギーを低減させることが可能である。このため、本発明の他の態様においては、ドットマトリクス状の画素で多階調表現した画像データを対象として注目画素を走査しながら予めエッジか否かの判定を行うエッジ画素検出工程と、このエッジ画素検出工程にてエッジ画素と検出された画素についてエッジの連続する方向を検出するエッジ方向検出工程と、検出されたエッジ部分でエッジの連続する方向に沿って平滑化するエッジ平滑化工程と、エッジ平滑後に補間処理を行う画素補間工程とを具備する構成としてある。
【手続補正８】
【補正対象書類名】明細書
【補正対象項目名】０００９
【補正方法】変更
【補正の内容】
【０００９】
上記のように構成した態様においては、画像データの構成画素数を増やす補間処理を行うにあたり、エッジ画素検出工程とエッジ方向検出工程で画像データにおける画像に含まれるエッジとその連続する方向を比較的軽い処理で検出する。このようにしてエッジとその連続する方向を検出されたら、エッジ平滑化工程では検出されたエッジ部分でエッジの連続する方向に沿って平滑化し、このエッジ平滑後に画素補間工程にて補間処理を行う。
【手続補正９】
【補正対象書類名】明細書
【補正対象項目名】００１７
【補正方法】変更
【補正の内容】
【００１７】
ところで、このように複数の画素について状況を検出することになると処理量は多くなるが、エッジ画素の数はそれほど多くないのが普通である。従って、エッジ画素検出工程にてエッジ画素と検出された画素についてのみエッジの連続する方向を検出する。
エッジ平滑化工程ではエッジの連続する方向に沿って平滑化し、この平滑化の処理は特に限定されるものではない。その一例として、本発明の他の態様においては、上記エッジ平滑化工程では、注目画素を走査しながら同注目画素に対してエッジの連続する方向に隣接する画素同士で相互に所定割合で合成する構成としてある。
【手続補正１０】
【補正対象書類名】明細書
【補正対象項目名】００１８
【補正方法】変更
【補正の内容】
【００１８】
エッジでありながらジャギーが生じるのは、エッジ方向に段差部分が生じていることによる。従って、予め、隣接する方向の画素同士を所定割合で合成すれば、段差が少なくなる。例えば平均化してしまえば段差はなくなる。
すなわち、上記のように構成した態様においては、注目画素に対してエッジの連続する方向に隣接する画素同士で相互に所定割合で合成することにより、平滑化される。
【手続補正１１】
【補正対象書類名】明細書
【補正対象項目名】００１９
【補正方法】変更
【補正の内容】
【００１９】
ここで、合成を所定割合としているが、割合を大きくすれば平滑度合いが大きくなるし、割合を小さくすれば平滑度合いは小さくなる。この関係を利用して、本発明の他の態様においては、上記エッジ方向検出工程では、予め定められた所定のエッジ方向との合致度合いを検出するエッジ度合い検出工程を実行するとともに、上記エッジ平滑化工程では、検出された合致度合いに応じて同合致度合いが大きい場合に平滑度を高くするとともに同合致度合いが小さい場合に平滑度を低くする平滑度合い調整工程を実行する構成としてある。
【手続補正１２】
【補正対象書類名】明細書
【補正対象項目名】００２０
【補正方法】変更
【補正の内容】
【００２０】
上記のように構成した態様においては、エッジ方向検出工程でエッジ方向を検出するに際し、エッジ度合い検出工程が所定のエッジが連続する方向との合致度合いを検出する。そして、次に実行するエッジ平滑化工程では、平滑度合い調整工程により、検出された合致度合いに応じて同合致度合いが大きい場合に平滑度を高くするとともに合致度合いが小さい場合に平滑度を低くする。
【手続補正１３】
【補正対象書類名】明細書
【補正対象項目名】００３１
【補正方法】変更
【補正の内容】
【００３１】
【発明の効果】
以上説明したように本発明によれば、比較的簡易なエッジ画素の判定を実施することにより、全画素についてエッジ方向を判定するのでなくエッジと判定した画素についてのみエッジ方向を判定するようにしたため、処理量を低減させることができる。
また、本発明の他の態様は、ジャギーの原因を予め取り除いて画素補間するようにしたため、補間後の画像にジャギーを生じにくくさせることが可能な画像データ補間方法を提供することができる。
【手続補正１４】
【補正対象書類名】明細書
【補正対象項目名】００３２
【補正方法】変更
【補正の内容】
【００３２】
さらに、本発明の他の態様にかかる発明によれば、比較的簡易にエッジ方向の平滑化を行うことができる。
さらに、他の態様によれば、エッジ方向の平滑化の程度をエッジらしさに対応させるようにしたため、より良好な平滑化を実施することができる。